(57)【要約】【課題】気体流を発生させ、当該発生した気体流と共に汚染された気体を排出することで、遊技者の周囲の汚染された気体を確実に除去し遊技環境を快適に保つことができる遊技施設排煙システムを提供する。【解決手段】遊技機１０の下端左側近傍に配設され、前記遊技機１０の上方に向かって気体流を生成する気体流生成部１１と、前記遊技機１０の上方に開口部１２が配設され、生成された前記気体流及び当該気体流に含まれる他の気体を前記開口部１２から吸引して排出する排出部１３とを備える。【選択図】図１
2018023770.tif 000002
【特許請求の範囲】
【請求項１】
遊技機の下端左側近傍に配設され、前記遊技機の上方に向かって気体流を生成する気体流生成手段と、
前記遊技機の上方に開口部が配設され、生成された前記気体流及び当該気体流に含まれる他の気体を前記開口部から吸引して排出する排出手段とを備えることを特徴とする遊技施設排煙システム。
【請求項２】
請求項１に記載の遊技施設排煙システムにおいて、
前記気体流生成手段及び前記排出手段が、前記遊技機の設置面表面よりも更に表側に突出し、夫々対向して配設されていることを特徴とする遊技施設排煙システム。
【請求項３】
請求項１又は２に記載の遊技施設排煙システムにおいて、
前記気体流生成手段が、生成する前記気体流を左右いずれかの向きに旋回する旋回流として生成することを特徴とする遊技施設排煙システム。
【請求項４】
請求項１ないし３のいずれかに記載の遊技施設排煙システムにおいて、
前記排出手段が、複数台が連設される前記遊技機に対応して配設される前記排出手段の排出流路を共通に連結して形成することを特徴とする遊技施設排煙システム。
【請求項５】
請求項１ないし４のいずれかに記載の遊技施設排煙システムにおいて、
前記気体流生成手段が、前記排出手段から排出される排出気体を清浄化した後の清浄化気体を前記気体流として生成することを特徴とする遊技施設排煙システム。
【請求項６】
請求項１ないし５のいずれかに記載の遊技施設排煙システムにおいて、
前記遊技機が遊技開始された旨の開始情報又は遊技者が喫煙を開始した旨の開始情報を検知する検知手段を備え、
前記気体流生成手段及び前記排出手段が、当該各手段が対応付けられている前記遊技機についての前記開始情報が検知された場合に、当該各手段が起動することを特徴とする遊技施設排煙システム。
【請求項７】
請求項６に記載の遊技施設排煙システムにおいて、
前記気体流生成手段及び前記排出手段が、複数台が連設される前記遊技機のうち、前記開始情報が検知された前記遊技機に相隣る遊技機に対応して配設される前記気体流生成手段及び前記排出手段を共に起動することを特徴とする遊技施設排煙システム。
【請求項８】
請求項１ないし７のいずれかに記載の遊技施設排煙システムにおいて、
前記気体流生成手段が、生成する前記気体流をプラズマ、オゾン、帯電イオン、除菌剤又は消臭剤のいずれか一つ又は複数を混合した気体を生成することを特徴とする遊技施設排煙システム。
【請求項９】
請求項１ないし８のいずれかに記載の遊技施設排煙システムにおいて、
前記気体流生成手段及び前記排出手段の中間で、且つ、隣接する前記遊技機間に一又は複数の補助吹出口が配設され、生成された前記気体流の気流方向に沿った補助気体流を吹出す補助気体流生成手段を備えることを特徴とする遊技施設排煙システム。
【請求項１０】
遊技機の下端左側近傍に配設され、前記遊技機の上方に向かって気体流を生成する気体流生成手段と、
当該気体流生成手段の上方近傍から前記遊技機の上方に向かって配設され、生成された前記気体流及び当該気体流に含まれる他の気体を流通させて排出する流通路と、
当該流通路の外側に存在する前記他の気体を前記流通路内に吸引するための流通孔とを備えることを特徴とする遊技施設排煙システム。
【請求項１１】
請求項１ないし１０のいずれかに記載の遊技施設排煙システムにおいて、
前記気体流生成手段が生成する気体流を吹出す吹出口に隣接して配設される灰皿を備えることを特徴とする遊技施設排煙システム。
【請求項１２】
請求項１１に記載の遊技施設排煙システムにおいて、
前記気体流生成手段の複数の吹出口を円環状に配設して形成され、当該複数の吹出口の中央部位に前記灰皿を収納して配設されることを特徴とする遊技施設排煙システム。
【請求項１３】
請求項１１または請求項１２に記載の遊技施設排煙システムにおいて、
前記気体流生成手段の筐体側部における前記吹出口の下方位置に前記筐体側部を貫通する貫通孔が形成されることを特徴とする遊技施設排煙システム。
【発明の詳細な説明】
【技術分野】
【０００１】
本発明は、遊技施設において喫煙等により汚染された気体を排出する遊技施設排煙システムに関する。
【背景技術】
【０００２】
遊技施設において遊技者が快適に遊技するために、喫煙等による煙を排出する技術が知られている。特許文献１に示す技術は、遊技機Ｕａを支持する支持構造体２に接続して使用される遊技機用ブース１であって、支持構造体２上部に接続されたブース用フレーム体１Ａと、ブース用フレーム体１Ａの内部に収納された空調装置Ａとを備え、ブース用フレーム体Ａの前面が遊技機Ｕａ前面よりも前方に突出するように配置されるものである。
【０００３】
特許文献２に示す技術は、遊技機設置島の前側の膳板２に貫設された投入口２２に投入された吸殻を、膳板２の下面に配設した搬送装置４により遊技機設置島の端部まで回収する吸殻回収装置であって、膳板２の下面に膳板２の長手方向に沿って細長の吸殻回収路３２と空気の吸引路３３とを並設して、吸殻回収路３２の中には前記搬送装置４を配設したうえに、投入口２２には垂直方向に回動される開閉蓋５を設け、開閉蓋５の先端には、紫煙吸引口５２を設けて、この紫煙吸引口５２を、開閉蓋５内に設けられた空気の流路５３と、膳板２に設けられた連絡孔２３を通って、空気の吸引路３３と連通させるものである。
【０００４】
特許文献３に示す技術は、隣接するパチンコ機（１），（１）の間に本体（１３）を設け、この本体（１３）の上部及び下部に空気の流入口（１６），（１６）を設けると共にパチンコ機（１）の縦枠（１１）に沿って流出口（１５）を設け、上記本体（１３）内には、上記流入口（１６），（１６）から空気を本体（１３）内に吸引し、流出口（１５）から本体（１３）外へ流出させるよう送風機を設けてあり、パチンコ機の周辺の空気は、上記流入口（１６）から吸い込まれ、流出口（１５）からパチンコ機の縦枠に沿って噴出され、これによりパチンコ機（１）,（１）の間にはエア−カ−テンが形成され、したがって、煙草の煙等が隣接する遊技者に流れ込まないようにすることができるものである。
【先行技術文献】
【特許文献】
【０００５】
【特許文献１】特開２００７−１７５１４６号公報
【特許文献２】特開２００７−３０１１８９号公報
【特許文献３】特開平１０−１１８３２７号公報
【発明の概要】
【発明が解決しようとする課題】
【０００６】
特許文献１に示す技術は、遊技者と空調装置との距離を近づけることで、遊技環境を向上させるものであるが、例えば、喫煙による煙の吸引（排出）は換気扇だけでは不十分であり、施設全体が煙で汚染されてしまう可能性が高いという課題を有する。
【０００７】
特許文献２に示す技術は、吸殻を回収する際に煙を吸引するものであるが、吸殻箇所以外で発生する副流煙や呼出煙を排出することができず、施設全体が煙で汚染されてしまう可能性が高いという課題を有する。
【０００８】
特許文献３に示す技術は、隣接する遊技者同士の煙草の煙については流入を防止することができるものの、それ以外の箇所からの煙の流入を防止することが困難であり、施設全体が煙で汚染されてしまった場合には、環境の改善が難しいものとなってしまう。
【０００９】
本発明は、気体流を発生させ、当該発生した気体流と共に汚染された気体を排出することで、遊技者の周囲の汚染された気体を確実に除去し遊技環境を快適に保つことができる遊技施設排煙システムを提供する。
【課題を解決するための手段】
【００１０】
本発明に係る遊技施設排煙システムは、遊技機の下端左側近傍に配設され、前記遊技機の上方に向かって気体流を生成する気体流生成手段と、前記遊技機の上方に開口部が配設され、生成された前記気体流及び当該気体流に含まれる他の気体を前記開口部から吸引して排出する排出手段とを備えるものである。
【００１１】
このように、本発明に係る遊技施設排煙システムにおいては、遊技機の下端左側近傍に配設され、前記遊技機の上方に向かって気体流を生成し、前記遊技機の上方左側に開口部が配設され、生成された前記気体流及び当該気体流に含まれる他の気体を前記開口部から吸引して排出するため、気体流が生成されてから吸引されるまでの気体の流路が明確に形成され、その流路に沿って喫煙による煙等の汚染された気体を確実に吸引して排出することができるという効果を奏する。
【００１２】
本発明に係る遊技施設排煙システムは、前記気体流生成手段及び前記排出手段が、前記遊技機の設置面表面よりも更に表側に突出し、夫々対向して配設されているものである。
【００１３】
このように、本発明に係る遊技施設排煙システムにおいては、気体流生成手段及び排出手段が、遊技機の設置面表面よりも更に表側に突出し、夫々対向して配設されているため、気体の流路上に遊技者が所在することとなり、遊技者周辺の汚染された気体を排出することができるという効果を奏する。
【００１４】
本発明に係る遊技施設排煙システムは、前記気体流生成手段が、生成する前記気体流を左右いずれかの向きに旋回する旋回流として生成するものである。
【００１５】
このように、本発明に係る遊技施設排煙システムにおいては、気体流生成手段が、生成する前記気体流を左右いずれかの向きに旋回する旋回流として生成するため、気体流の周辺の汚染された気体を巻き込みながら流動させて排出することができるという効果を奏する。
【００１６】
本発明に係る遊技施設排煙システムは、排出手段が、複数台が連設される遊技機に対応して配設される当該排出手段の排出流路を共通に連結して形成するものである。
【００１７】
このように、本発明に係る遊技施設排煙システムにおいては、複数台が連設される遊技機に対応して配設される排出手段の排出流路を共通に連結して形成するため、吸引された気体を一つの共通の排出流路からまとめて排出され、排出効率を上げることができるという効果を奏する。
【００１８】
本発明に係る遊技施設排煙システムは、気体流生成手段が、排出手段から排出される排出気体を清浄化した後の清浄化気体を前記気体流として生成するものである。
【００１９】
このように、本発明に係る遊技施設排煙システムにおいては、排出気体を清浄化した清浄化気体を気体流として生成するため、外気の入出を抑えて施設内の気体を循環させて空気を清浄化することが可能になるという効果を奏する。すなわち、外気の入出が抑えられることで、例えば、夏場や冬場の外気温、花粉、大気汚染物質（例えば、ＰＭ２．５）等の影響を抑えつつ施設内の空気を清浄化することが可能となる。
【００２０】
本発明に係る遊技施設排煙システムは、前記遊技機が遊技開始された旨の開始情報又は遊技者が喫煙を開始した旨の開始情報を検知する検知手段を備え、前記気体流生成手段及び前記排出手段が、当該各手段が対応付けられている前記遊技機についての前記開始情報が検知された場合に、当該各手段が起動するものである。
【００２１】
このように、本発明に係る遊技施設排煙システムにおいては、遊技機が遊技開始された旨の開始情報又は遊技者が喫煙を開始した旨の開始情報を検知する検知手段を備え、気体流生成手段及び排出手段が、当該各手段が対応付けられている前記遊技機についての前記開始情報が検知された場合に、当該各手段が起動するため、各手段の機能が必要である場合のみ起動し、各手段の無駄な駆動を排除して効率化を図ることができるという効果を奏する。
【００２２】
本発明に係る遊技施設排煙システムは、前記気体流生成手段及び前記排出手段が、複数台が連設される前記遊技機のうち、前記開始情報が検知された前記遊技機に相隣る遊技機に対応して配設される前記気体流生成手段及び前記排出手段を共に起動するものである。
【００２３】
このように、本発明に係る遊技施設排煙システムにおいては、気体流生成手段及び排出手段が、複数台が連設される遊技機のうち、開始情報が検知された前記遊技機に相隣る遊技機に対応して配設される前記気体流生成手段及び前記排出手段を共に起動するため、遊技者の相隣る遊技機の気体流生成手段及び排出手段が起動して遊技者の遊技環境をより向上させると共に、遊技施設全体の環境改善にも繋がるという効果を奏する。
【００２４】
本発明に係る遊技施設排煙システムは、前記気体流生成手段が、生成する前記気体流をプラズマ、オゾン、帯電イオン、除菌剤又は消臭剤のいずれか一つ又は複数を混合した気体を生成するものである。
【００２５】
このように、本発明に係る遊技施設排煙システムにおいては、気体流生成手段が、生成する気体流をプラズマ、オゾン、帯電イオン、除菌剤又は消臭剤のいずれか一つ又は複数を混合した気体とするため、汚染された気体を効果的に清浄化することができるという効果を奏する。
【００２６】
本発明に係る遊技施設排煙システムは、前記気体流生成手段及び前記排出手段の中間で、且つ、隣接する前記遊技機間に一又は複数の補助吹出口が配設され、生成された前記気体流の気流方向に沿った補助気体流を吹出す補助気体流生成手段を備えるものである。
【００２７】
このように、本発明に係る遊技施設排煙システムにおいては、気体流生成手段及び排出手段の中間で、且つ、隣接する遊技機間に一又は複数の補助吹出口が配設され、生成された気体流の気流方向に沿った補助気体流を吹出すため、生成された気体流を確実に排出手段まで運んで排出することができるという効果を奏する。
【００２８】
本発明に係る遊技施設排煙システムは、遊技機の下端左側近傍に配設され、前記遊技機の上方に向かって気体流を生成する気体流生成手段と、当該気体流生成手段の上方近傍から前記遊技機の上方に向かって配設され、生成された前記気体流及び当該気体流に含まれる他の気体を流通させて排出する流通路と、当該流通路の外側に存在する前記他の気体を前記流通路内に吸引するための流通孔とを備えるものである。
【００２９】
このように、本発明に係る遊技施設排煙システムにおいては、遊技機の下端左側近傍に配設され、前記遊技機の上方に向かって気体流を生成する気体流生成手段と、当該気体流生成手段の上方近傍から前記遊技機の上方に向かって配設され、生成された前記気体流及び当該気体流に含まれる他の気体を流通させて排出する流通路と、当該流通路の外側に存在する前記他の気体を前記流通路内に吸引するための流通孔とを備えるため、汚染された気体を流通路内を通って確実に排出することができると共に、流通路に取り込まれずに外部に漏れた気体についても流通孔から吸引することで、汚染された気体をより確実に排出することが可能になるという効果を奏する。
【００３０】
本発明に係る遊技施設排煙システムは、前記気体流生成手段が生成する気体流を吹出す吹出口に隣接して配設される灰皿を備えるものである。
【００３１】
このように、本発明に係る遊技施設排煙システムにおいては、前記灰皿が前記吹出口に隣接して配設されることから、前記灰皿からの排煙が、前記吹出口から吹出される気体流に合流することとなり、前記灰皿からの排煙も含めて汚染された気体をより確実に排出することが可能になるという効果を奏する。
【００３２】
本発明に係る遊技施設排煙システムは、前記気体流生成手段の複数の吹出口を円環状に配設して形成され、当該複数の吹出口の中央部位に前記灰皿を収納して配設されるものである。
【００３３】
このように、本発明に係る遊技施設排煙システムにおいては、前記複数の吹出口が円環状に配設して形成され、前記灰皿が当該複数の吹出口の中央部位に収納して配設されることから、前記灰皿からの排煙が、その発生と共に上昇し、前記吹出口から吹出される気体流にそのまま合流することとなり、前記灰皿からの排煙も含めて汚染された気体をさらに確実に排出することが可能になるという効果を奏する。
【００３４】
本発明に係る遊技施設排煙システムは、前記気体流生成手段の筐体側部における前記吹出口の下方位置に前記筐体側部を貫通する貫通孔が形成されるものである。
【００３５】
このように、本発明に係る遊技施設排煙システムにおいては、前記筐体側部を貫通する貫通孔が形成されることから、当該貫通孔に煙草を通すことによって、前記灰皿に確実に煙草の灰が収容されると共に、煙草の灰が前記気体流に乗ることなく、前記灰皿からの排煙が、前記吹出口から吹出される前記気体流に合流することとなり、煙草の灰の飛散を防止し、前記灰皿からの排煙も含めて汚染された気体をさらに確実に排出することが可能になるという効果を奏する。
【図面の簡単な説明】
【００３６】
【図１】第１の実施形態に係る遊技施設排煙システムの外観を示す図である。
【図２】第１の実施形態に係る遊技施設排煙システムにおける気体流生成部及び排出部の側断面図である。
【図３】第１の実施形態に係る遊技施設排煙システムにおける排出部の第１の上断面図である。
【図４】第１の実施形態に係る遊技施設排煙システムにおける排出部の第２の上断面図である。
【図５】第１の実施形態に係る遊技施設排煙システムにおけるコンピュータの構成を示す機能ブロック図である。
【図６】第２の実施形態に係る遊技施設排煙システムの外観を示す図である。
【図７】第２の実施形態に係る遊技施設排煙システムにおける気体流生成部、排出部及び補助吹出口の側断面図である。
【図８】その他の実施形態に係る遊技施設排煙システムの外観を示す図である。
【図９】図８における流通路の構造の一例を示す図である。
【図１０】その他の実施形態に係る気体生成部と灰皿についての構成の一例を示す図である。
【図１１】図１０における吹出口と煙草の載置についての構成の一例を示す図である。
【図１２】図１０における吹出口の吹出方向についての構成の一例を示す図である。
【図１３】図１０における気体流生成部の筐体側部の貫通孔についての構成の一例を示す図である。
【図１４】図１０における全体構成の一例を示す図である。
【発明を実施するための最良の形態】
【００３７】
以下、本発明の実施の形態を説明する。また、本実施形態の全体を通して同じ要素には同じ符号を付けている。
【００３８】
（本発明の第１の実施形態）
本実施形態に係る遊技施設排煙システムについて、図１ないし図５を用いて説明する。図１は、本実施形態に係る遊技施設排煙システムの外観を示す図である。本実施形態に係る遊技施設排煙システム１は、複数台が連設される遊技機１０と、遊技機１０の間で当該遊技機１０の下端左側近傍に配設され、当該遊技機１０の上方に向かって気体流を生成する気体流生成部１１と、遊技機１０の上方に開口部１２を有し、気体流生成部１１で生成された気体流及び当該気体流に含まれる他の汚染された気体を開口部１２から吸引して排出する排出部１３とを備える。
【００３９】
遊技機１０は、遊技者が操作するための操作ハンドル１４と、球を受けるための受皿１５と、当該受皿１５の横であって操作ハンドル１４の反対側（すなわち、受皿１５の左側）に灰皿１６とを有している。気体流生成部１１は、灰皿１６の近傍となる遊技機１０の下端左側に配設されており、そこから上方に向かって気体流を生成している。この上昇気流により、遊技者の喫煙による副流煙や呼出煙を巻き込みながら開口部１２まで運ばれる。排出部１３は、開口部１２から外部の気体が内部に取り込まれるように吸引しており、副流煙や呼出煙と共に上昇した気体流は、排出部１３の吸引により開口部１２に吸い込まれる。開口部１２に吸い込まれた気体流は、副流煙や呼出煙と共に外部に排出されるか又は清浄化される。気体流生成部１１と排出部１３とは、各遊技機１０ごとにそれぞれ対応付けて配設されており、各遊技機１０の遊技者ごとに遊技環境が快適に保たれるようになっている。
【００４０】
なお、気体流生成部１１が生成する気体流は、左右のいずれかに旋回しながら上昇することが好ましい。そうすることで、気体流の周囲に存在する副流煙や呼出煙をより多く巻き込みながら上昇して排出部１３で排出することが可能となる。
【００４１】
また、気体流生成部１１が生成する気体流がプラズマ、オゾン、帯電イオン、除菌剤又は消臭剤のいずれか一つ又は複数を混合した気体からなることが好ましい。そうすることで、より効果的に空気を清浄化することが可能となる。
【００４２】
図２は、気体流生成部１１及び排出部１３の側断面図である。気体流生成部１１の気体送出口２１と排出部１３の開口部１２とは、いずれも遊技機１０の設置面表面２２から更に表側に突出した形状となっており、気体流生成部１１の気体送出口２１と排出部１３の開口部１２とは、それぞれの開口が対向するように配設されている。すなわち、気体送出口２１から送出された気体がそのまま直線的に開口部１２に吸い込まれるように配設されている。
【００４３】
図２において、遊技機１０と遊技機１０との間の内部空間において、下方から送られてくる気体流が気体流生成部１１に到達し、上昇気流として気体送出口２１から送出される。送出された気体流は、上昇しながら周囲の汚染された気体と共に開口部１２に到達する。開口部１２では、排出部１３の吸引機能により上昇した気体が内部に吸い込まれ、そのまま排出又は清浄化される。排出部１３では、図２の図面における平面視の奥側又は手前側に気体が引き込まれており、開口部１２辺りが負圧になることで気体が吸引される。
【００４４】
図３は、排出部１３の上断面図である。図３において、各排出部１３の開口部１２はそれぞれの遊技機１０ごとに配設されているのに対して、各開口部１２で吸引された気体が排出される排出流路３１は、各開口部１２に共通に連結して形成されている。すなわち、共通している排出流路３１には一方向（ここでは方向Ａとする）に気流が生じており、各開口部１２周辺はこの気流により負圧となることで、気体流生成部１１で生成された気体流及び上昇中に巻き込んだ汚染された副流煙や呼出煙等の気体を吸引すると共に、当該吸引した気体を方向Ａに送出する。送出された気体は、そのまま外部に排出されてもよいし、空気清浄機を通して清浄化されてもよい。
【００４５】
なお、吸引された気体を方向Ａに送出しやすくするために、図３に示すように方向Ａ側に傾いた状態の方向板３２を備えるようにしてもよい。また、排出流路３１を流れた気体は、上述したようにそのまま外部に排出されてもよいし、清浄化されてもよく、清浄化された場合は、再度気体流生成部１１からの気体流として循環するようにしてもよい。
【００４６】
また、排出流路３１の内壁は副流煙や呼出煙等の気体によりかなり汚染されるため、図４に示すように、排出流路３１を取り換え可能なパイプ等で構成するようにしてもよい。図４のように、排出流路３１を構成するパイプを取り換え可能とすることで、遊技機が設置されている島を汚すことなく、施設を清潔に保つことができる。なお、排出流路３１は、パイプ以外にも、気体が流通できて取り換え可能な構成であればよい。
【００４７】
次に、本実施形態に係る遊技施設排煙システムの制御について説明する。遊技施設排煙システム１は、遊技施設の営業時間中に常時起動していてもよいし、必要なときのみ起動するようにしてもよい。必要なときのみ起動する場合は、遊技施設のスタッフにより手動で起動されるようにしてもよいし、遊技者の有無や喫煙の有無に応じて自動で起動されるようにしてもよい。以下、遊技者の有無や喫煙の有無に応じて自動で起動される場合の処理について説明する。
【００４８】
遊技施設排煙システム１は、上記のような演算を行うコンピュータを有しており、コンピュータ内のＲＡＭに記憶されているプログラムをＣＰＵが読み込んで実行することで演算を行い、その演算結果に基づいて気体流生成部１１や排出部１３が起動制御されるものである。図５は、本実施形態に係る遊技施設排煙システム１におけるコンピュータの構成を示す機能ブロック図である。
【００４９】
図５において、コンピュータ４０は、遊技者が所定の遊技機１０の遊技を開始した旨を示す開始情報、又は、所定の遊技機１０の近傍や灰皿等に設置された煙感知センサが遊技者の喫煙による煙を検知し、喫煙が開始された旨を示す開始情報を入力する入力部４１と、入力された開始情報の内容に基づいて、遊技又は喫煙が開始された遊技機１０を特定する遊技機特定部４２と、特定された遊技機１０及びその両隣り（一方しかない場合はその一方）に配置されている他の遊技機１０を、遊技施設内の各遊技機１０の配置が予め記憶されている遊技機配置情報４５に基づいて特定する起動対象特定部４３と、起動対象特定部４３で特定された遊技機１０に対応する気体流生成部１１及び排出部１３を起動する起動部４４とを備える。
【００５０】
このような構成により、遊技者による遊技又は喫煙が開始されたことを検知して、遊技者が遊技している遊技機１０に対応して配設されている気体流生成部１１及び排出部１３を必要に応じて起動することが可能となる。また、遊技者が遊技している遊技機１０の隣りに設置されている他の遊技機１０に対応して配設されている気体流生成部１１及び排出部１３を併せて起動することで、遊技者の遊技環境をより快適にすると共に、遊技施設内全体の環境を改善することが可能となる。
【００５１】
（本発明の第２の実施形態）
本実施形態に係る遊技施設排煙システムについて、図６及び図７を用いて説明する。本実施形態に係る遊技施設排煙システムは、上記第１の実施形態に係る遊技施設排煙システムの機能を拡張したものであり、気体流生成部１１及び排出部１３の中間で、且つ、隣接する遊技機１０間に一又は複数の補助吹出口５１が配設され、生成された気体流の気流方向に沿った補助気体流を吹出す補助気体流生成手段を備えるものである。なお、本実施形態において、前記第１の実施形態と重複する説明は省略する。
【００５２】
図６は、本実施形態に係る遊技施設排煙システムの外観を示す図、図７は、気体流生成部１１、排出部１３及び補助吹出口５１の側断面図である。図１と異なるのは、遊技機１０と遊技機１０との間に補助吹出口５１が配設されており、気体流生成部１１で生成された気体流の気流方向、すなわち、上方の排気部１３に向かって補助気体流を吹き出すことである。
【００５３】
図７に示すように、本実施形態においても、気体流生成部１１の気体送出口２１と排出部１３の開口部１２とは、いずれも遊技機１０の設置面表面２２から更に表側に突出した形状となっており、気体流生成部１１の気体送出口２１と排出部１３の開口部１２とは、それぞれの開口が対向するように配設されている。そして、その間に一又は複数の補助吹出口５１が配設されており、気体送出口２１から送出された気体が、補助吹出口５１から吹き出す補助気体流の流れを受けて加速し、そのまま開口部１２に吸い込まれる。
【００５４】
また、遊技機１０と遊技機１０との間の内部空間において、下方から送られてくる気体流が気体流生成部１１に到達し、上昇気流として気体送出口２１から送出されると共に、一部は補助通路５２を流れて更に上昇し、補助気流制御板５３により補助吹出口５１から上方に向かって送出される。
【００５５】
このように、本実施形態に係る遊技施設排煙システムにおいては、補助気体流の流れを受けて気体流生成部１１からの気体流をより確実に上昇させて排出部１３まで運ぶと共に、汚染された気体をより多く排出することが可能になる。
【００５６】
（その他の実施形態）
その他の実施形態に係る遊技施設排煙システムについて、図８及び図９を用いて説明する。本実施形態に係る遊技施設排煙システム１は、遊技機１０の下端左側近傍に配設され、遊技機１０の上方に向かって気体流を生成する気体流生成部１１と、当該気体流生成部１１の上方近傍から遊技機１０の上方に向かって配設され、生成された気体流及び当該気体流に含まれる他の気体を流通させて排出する流通路８０と、当該流通路８０の外側に存在する他の気体を流通路８０内に吸引するための流通孔８１とを備えるものである。
なお、本実施形態において前記各実施形態と重複する説明は省略する。
【００５７】
図８は、本実施形態に係る遊技施設排煙システムの外観を示す図である。図８においては、上記各実施形態と異なり、気体生成部１１の上方近傍で且つ灰皿１６よりも更に上方となる位置から、排出部１３に向かって流通路８０が延出するように配設されている。気体流生成部１１で生成された気体の上昇気流は、遊技者の喫煙による副流煙や呼出煙を巻き込みながら流通路８０内を通って排出部１３まで運ばれる。排出部１３では、上記各実施形態の場合と同様の手法により、運ばれた気体を排出又は清浄化する。また、流通路８０内は排出流路３１で生じている気体流により負圧の状態となっており、流通路８０の外側周辺の気体を流通孔８１から吸引する。こうすることで、流通路８０の外側に漏れた副流煙や呼出煙を流通路８０内に引き込んで、汚染された気体を排出又は浄化することが可能となる。
【００５８】
図９は、流通路の構造の一例を示す図である。図９に示すように、複数の同一部品８０ａ〜８０ｃを組み合わせることで流通路８０を形成する。部品８０ａ〜８０ｃは、上面及び底面が開口しており、気体が流通する構成となっている。各部品８０ａ〜８０ｃの上方先端部分８２はテーパ状に形成されており、下方部分では、その側面に複数（図９の場合は４つ）の流通孔８１が形成されている。各部品８０ａ〜８０ｃを上下に組み合わせて嵌合する（流通孔８１が形成されている下方部分にテーパ状の先端部分８２を嵌め込む）ことで、先端部分８２のテーパ構造により生じる空間と流通孔８１とにより、流通路８０の内部と外部とが連通され、外部の気体を流通路８０内に取り込むことが可能となる。これらの部品８０ａ〜８０ｃを適正な長さに連結することで、極めて容易に流通路８０を形成することが可能となる。
【００５９】
図１０は、気体生成部１１と灰皿１６についての構成の一例を示す図である。図１０（ａ）においては、上記各実施形態に記載された気体生成部１１の生成する気体流を吹出す吹出口１１ａに隣接して配設される灰皿１６を備えるものである。灰皿１６は、吹出口１１ａに隣接して配設されれば、その位置は特に限定されない。
【００６０】
このように、本実施形態に係る遊技施設排煙システム１においては、灰皿１６が吹出口１１ａに隣接して配設されることから、灰皿１６からの排煙が、吹出口１１ａから吹出される気体流に合流することとなり、灰皿１６からの排煙も含めて汚染された気体をより確実に排出することが可能になるという効果を奏する。
【００６１】
また、気体流生成部１１と灰皿１６との構成について、好適には、図１０（ｂ）に示すように、気体流生成部１１の複数の吹出口１１ａを円環状に配設して形成され、複数の吹出口１１ａの中央部位に灰皿１６を収納して配設される。
【００６２】
このように、本発明に係る遊技施設排煙システムにおいては、前記複数の吹出口１１ａが円環状に配設して形成され、灰皿１６が当該複数の吹出口１１ａの中央部位に収納して配設されることから、灰皿１６からの排煙が、その発生と共に上昇し、吹出口１１ａから吹出される気体流にそのまま合流することとなり、灰皿１６からの排煙も含めて汚染された気体をさらに確実に排出することが可能になるという効果を奏する。
【００６３】
また、図１０（ｃ）に示すように、灰皿１６の下部領域に、個別ファン１１ｂを備えることも可能である。このように、個別ファン１１ｂを備えることによって、大掛かりなダクトなどを必要とすることなく、煙草の排煙を排出できることとなり、設置工事を簡略化することができ、コストを抑制することができる。
【００６４】
また、図１１（ａ）に示すように、煙草１００は、隣接する吹出口１１ａの間に、載置することができる。この他にも、図１１（ｂ）に示すように、所定の隣接する吹出口１１ａの間隔が、他の隣接する吹出口１１ａの間隔よりも広くすることが可能である。この広い間隔に煙草載置領域１１ｃが形成されることによって、煙草１００の灰が前記気体流に乗ることなく、灰皿１６からの排煙が、吹出口１１ａから吹出される前記気体流に合流することとなり、煙草１００の灰の飛散を防止し、灰皿１６からの排煙も含めて汚染された気体をさらに確実に排出することが可能になるという効果を奏する。
【００６５】
特に、図１１（ｃ）に示すように、複数の吹出口１１ａが密に構成された場合には、この煙草載置領域１１ｃが形成されることが好ましく、安定的な煙草１００の載置と共に、煙草１００の灰の飛散を防止することができる。
【００６６】
また、本実施形態に係る遊技施設排煙システム１は、図１２（ａ）に示すように、複数の吹出口１１ａが、各々、前記円環の接線方向（ラジアル方向）に向かって、前記気体流を生成することができる。このような構成によって、図１２（ｂ）に示すように、よりスパイラル形状で前記気体流が生成されることから、前記気体流が周囲に分散することなく真上に向かう強い指向性を有することとなり、灰皿１６からの排煙も含めて汚染された気体を周囲に放散させることなく、確実に排出することが可能になる。
【００６７】
また、本実施形態に係る遊技施設排煙システム１は、図１３（ａ）に示すように、気体流生成部１１の筐体側部における吹出口１１ａの下方位置に前記筐体側部を貫通する貫通孔１１ｄを形成することができる。このように、本実施形態に係る遊技施設排煙システム１は、図１３（ｂ）に示すように、気体流生成部１１の筐体側部を貫通する貫通孔１１ｄが形成されることから、貫通孔１１ｄに煙草を通すことによって、灰皿１６に確実に煙草の灰が収容されると共に、煙草の灰が前記気体流に乗ることなく、灰皿１６からの排煙が、吹出口１１ａから吹出される前記気体流に合流することとなり、煙草の灰の飛散を防止し、灰皿１６からの排煙も含めて汚染された気体をさらに確実に排出することが可能になる。
【００６８】
以上に述べた本実施形態に係る遊技施設排煙システム１は、その全体構成の一例としては、図１４に示すように、各座席ごとを仕切る分煙ボードを気体流生成部１１の近傍に配設すると共に、上述の個別ファン１１ｂを気体流生成部１１の下部領域に配設することができる。このように、灰皿１６からの排煙が、隣席に及ぶことなく、吹出口１１ａから吹出される前記気体流に合流することとなり、灰皿１６からの排煙も含めて汚染された気体をさらに確実に排出することが可能になる。
【符号の説明】
【００６９】
１  遊技施設排煙システム
１０  遊技機
１１  気体流生成部
１１ａ  吹出口
１１ｂ  個別ファン
１１ｃ  煙草載置領域
１１ｄ  貫通孔
１２  開口部
１３  排出部
１４  操作ハンドル
１５  受皿
１６  灰皿
２１  送出口
２２  設置面表面
３１  排出流路
３２  方向板
４０  コンピュータ
４１  入力部
４２  遊技機特定部
４３  起動対象特定部
４４  起動部
４５  遊技機配置情報
５１  補助吹出口
５２  補助通路
５３  補助気流制御板
８０  流通路
８０ａ〜８０ｃ  部品
８１  流通孔
８２  先端部分
１００  煙草
【図１】
2018023770.tif 000003
【図２】
2018023770.tif 000004
【図３】
2018023770.tif 000005
【図４】
2018023770.tif 000006
【図５】
2018023770.tif 000007
【図６】
2018023770.tif 000008
【図７】
2018023770.tif 000009
【図８】
2018023770.tif 000010
【図９】
2018023770.tif 000011
【図１０】
2018023770.tif 000012
【図１１】
2018023770.tif 000013
【図１２】
2018023770.tif 000014
【図１３】
2018023770.tif 000015
【図１４】
2018023770.tif 000016